(57)【要約】【課題】パネル状のパネル部材から音声を出力させる。【解決手段】スピーカ装置１００は、筐体１０と、ボイスコイル２０と、磁気回路部３０とを備えている。筐体１０は、ボイスコイル２０および磁気回路部３０を内部に収容するものである。ボイスコイル２０は、筐体１０の内側面に取り付けられている筒形状のボビン２１に導電性部材２２を巻きつけたものである。磁気回路部３０は、磁力を発生させる磁気回路で、その発生させた磁力によりボイスコイル２０を振動させるものであり、ボイスコイル２０と対向する筐体１０の内側面に取り付けられている。磁気回路部３０は、磁石３１とプレート３２とヨーク３３とにより構成され、プレート３２とヨーク３３とにより形成された磁気ギャップに導電性部材２２により形成されたコイル部が位置するようにボイスコイル２０は配される。【選択図】図１
0003163717.tif 000002
【実用新案登録請求の範囲】
【請求項１】
略パネル状のパネル部材に取り付けて前記パネル部材を振動させることにより音声を出力させるスピーカ装置であって、
非磁性体により形成された筐体と、
前記筐体の内側面に取り付けられている略筒形状のボビンに導電性部材を巻きつけたボイスコイルと、
前記ボイスコイルと対向する前記筐体の内側面に取り付けられており、磁力により前記ボイスコイルを振動させる磁気回路部と
を具備することを特徴とするスピーカ装置。
【請求項２】
前記磁気回路部は、
磁石と、
前記磁石の一方の端面に取り付けられており、磁性体により形成され、前記ボビンにおける略筒形状の内側に挿入可能な大きさをしたプレートと、
前記磁石の他方の端面に取り付けられており、磁性体により形成され、前記ボビンの外側側面を接触しないで覆う形状をしたヨークと
を備え、
前記ヨークと前記プレートとの間に形成された磁気ギャップに前記ボイスコイルが位置するように前記ボイスコイルを配したことを特徴とする請求項１記載のスピーカ装置。
【請求項３】
前記ヨークは、
略コの字形状または略Ｕ字形状をしたヨーク本体部と、
前記ヨーク本体部の端部付近から前記プレートに向かう方向に伸びる突起部と
を備え、
前記プレートは、前記突起部と対向する位置に配され、前記突起部との間に前記磁気ギャップを形成することを特徴とする請求項２記載のスピーカ装置。
【請求項４】
前記プレートにおける端部および前記突起部における端部は、前記プレートにおける端部および前記突起部における端部の両端の角を切り取った斜面形状を備えたことを特徴とする請求項３記載のスピーカ装置。
【請求項５】
前記ボビンの形状は、略四角筒形状であることを特徴とする請求項１乃至４記載のスピーカ装置。
【考案の詳細な説明】
【技術分野】
【０００１】
本考案は、スピーカ装置に関し、特に、パネル形状のパネル部材を振動させるスピーカ装置に関する。
【背景技術】
【０００２】
近年、様々なスピーカが開発されている。その中に薄型のスピーカや作動周波数帯域幅を改良したスピーカ等がある。そのうちの一つに、撓み波パネルと、その撓み波パネルに取り付けられ、その撓み波パネルを励振する電気力学的励振器とを有し、上記励振器はマグネット組立体とボイスコイル組立体とを有し、上記励振器は上記ボイスコイル組立体を介して上記撓み波パネルに取り付けられる撓み波パネルラウドスピーカであって、上記撓み波パネルは上記ボイスコイルの環状接触部内で皿型であることを特徴とするラウドスピーカがある。（例えば、特許文献１参照。）。このラウドスピーカによれば、作動周波数帯域幅を拡大することができる。
【先行技術文献】
【特許文献】
【０００３】
【特許文献１】特表２００２−５４３７０２号公報（図１）
【考案の概要】
【考案が解決しようとする課題】
【０００４】
上述のラウドスピーカは、撓み波パネルにおけるボイスコイルの環状接触部内で撓み波パネルの形状を皿型にすることにより、ラウドスピーカの作動周波数帯域幅を拡大する技術である。したがって、ボイスコイルの形状が環状であることが前提である。ボイスコイルを他の形状でスピーカを構成できればスピーカの応用範囲が拡がる。また、様々なパネル状のパネル部材に取り付けるだけで、様々なパネル状のパネル部材を振動板にして音声を出力させることのできるスピーカ装置があれば、便利である。
【０００５】
そこで、本考案は、パネル状のパネル部材に取り付けるだけで、そのパネル状のパネル部材から音声を出力させるスピーカ装置を提供することを目的とする。
【課題を解決するための手段】
【０００６】
本考案は、上記課題を解決するためになされたものであり、本発明のスピーカ装置は、略パネル状のパネル部材に取り付けて上記パネル部材を振動させることにより音声を出力させるスピーカ装置であって、非磁性体により形成された筐体と、上記筐体の内側面に取り付けられている略筒形状のボビンに導電性部材を巻きつけたボイスコイルと、上記ボイスコイルと対向する上記筐体の内側面に取り付けられており、磁力により上記ボイスコイルを振動させる磁気回路部とを具備することを特徴とするものである。これにより、様々なパネル状のパネル部材から音声を出力させるという作用をもたらす。
【０００７】
また、本考案のスピーカ装置において、上記磁気回路部は、磁石と、上記磁石の一方の端面に取り付けられており、磁性体により形成され、上記ボビンにおける略筒形状の内側に挿入可能な大きさをしたプレートと、上記磁石の他方の端面に取り付けられており、磁性体により形成され、上記ボビンの外側側面を接触しないで覆う形状をしたヨークとを備え、上記ヨークと上記プレートとの間に形成された磁気ギャップに上記ボイスコイルが位置するように上記ボイスコイルを配したことを特徴とする。これにより、筒形状のボイスコイルを効率良く振動させるという作用をもたらす。
【０００８】
また、本考案のスピーカ装置において、上記ヨークは、略コの字形状または略Ｕ字形状をしたヨーク本体部と、上記ヨーク本体部の端部付近から上記プレートに向かう方向に伸びる突起部とを備え、上記プレートは、上記突起部と対向する位置に配され、上記突起部との間に上記磁気ギャップを形成することを特徴とする。これにより、磁気ギャップにおいて形成される磁場の分布を一様にさせるという作用をもたらす。
【０００９】
また、本考案のスピーカ装置において、上記プレートにおける端部および上記突起部における端部は、上記プレートにおける端部および上記突起部における端部の両端の角を切り取った斜面形状を備えたことを特徴とする。これにより、磁気ギャップにおいて形成される磁場の分布をより一様にさせるという作用をもたらす。
【００１０】
また、本考案のスピーカ装置において、上記ボビンの形状は、略四角筒形状であることを特徴とする。これにより、ボイスコイルの形状を環状以外の形状にさせるという作用をもたらす。
【考案の効果】
【００１１】
本考案によれば、パネル状のパネル部材から音声を出力させることができるという優れた効果を奏し得る。
【図面の簡単な説明】
【００１２】
【図１】本考案の実施の形態におけるスピーカ装置１００の一例を示す図である。
【図２】スピーカ装置１００の正面図である。
【図３】本考案における別の実施の形態のスピーカ装置２００に一例を示す図である。
【図４】本考案の実施の形態におけるスピーカ装置１００または２００をパネル形状のパネル部材３００に取り付けた図を示すものである。
【考案を実施するための形態】
【００１３】
次に本考案の実施の形態について図面を参照して詳細に説明する。
【実施例１】
【００１４】
図１は、本考案の実施の形態におけるスピーカ装置１００の一例を示す図である。なお、図１においては、スピーカ装置１００の構成を説明するため、スピーカ装置１００を分解した図を示してある。後述する蓋１１により容器１２に蓋をして、磁気回路部３０をボイスコイル２０に挿入することによりスピーカ装置１００は機能するようになる。
【００１５】
スピーカ装置１００は、パネル形状のパネル部材３００に取り付けてパネル部材３００を振動させることにより音声を出力させるものであり、筐体１０と、ボイスコイル２０と、磁気回路部３０とを備えている。
【００１６】
なお、本考案におけるパネル部材３００におけるパネル形状とは、直方体形状等の板形状のみならず、表面が平坦でない板形状のもの等をも含む広い概念である。パネル部材３００として、例えば看板やホワイトボード等が想定されるが、これに限るものではない。また、パネル部材３００の材質として、例えば発砲スチロール、アクリル、段ボールで使用される材質、ベニア、アルミニウム、マグネシウム等の様々な材質が想定される。  
【００１７】
筐体１０は、ボイスコイル２０および磁気回路部３０を内部に収容するものであり、例えば蓋１１と容器１２とにより構成することができる。なお、筐体１０は、密封されたものが想定されるが、これに限るものではなく、フレームのみで構成されたような密封されていないものでもよい。蓋１１の内側面には、磁気回路部３０が取り付けられており、容器１２の底面１３の内側面にはボイスコイル２０が取り付けられている。また、筐体１０は、磁性を帯びさせないようにした方が好ましいため、非磁性体により形成することが想定される。
【００１８】
ボイスコイル２０は、筐体１０の内側面（例えば、容器１２の底面１３の内側面）に取り付けられている筒形状のボビン２１に導電性部材２２を巻きつけたものである。ボビン２１は、導電性部材２２を巻きつけるための芯の役割を果たすものである。ボビン２１の形状として、例えば長方形型の四角筒形状、正方形型の四角筒形状およびその他の四角筒形状が想定されるが、これに限るものではなくその他の筒形状であってもよい。また、本考案においてボビン２１における筒形状とは、両底面が開放され、側面からなるような形状に限らず、一方の底面は開放されておらず、他方の底面が開放された側面と一方の底面からなるような形状も含む。この場合、上記その一方の底面は、どのような形状であってもよい。
【００１９】
導電性部材２２は、ボビン２１に少なくとも１巻きする必要がある。これにより、導電性部材２２は、コイルの役割を果たす。なお、ボビン２１に導電性部材２２が巻かれた部分を以下においてコイル部と呼ぶこととする。また、導電性部材２２として、例えば銅線等の電線が想定される。
【００２０】
磁気回路部３０は、磁力を発生させる磁気回路で、その発生させた磁力によりボイスコイル２０を振動させるものであり、ボイスコイル２０と対向する筐体１０の内側面（例えば、蓋１１の内側面）に取り付けられている。そして、図２に示すように、この磁気回路部３０は、磁石３１と、プレート３２と、ヨーク３３とを備える。
【００２１】
磁石３１は、例えば永久磁石とすることが想定されるが、これに限るものではない。プレート３２は、磁石３１の一方の端面３１ａに取り付けることが想定される。また、プレート３２は、磁性体により直方体形状に形成することが想定されるが、これに限るものではなく、その他の形状であってもよい。
【００２２】
ヨーク３３は、磁石３１の他方の端面３１ｂに取り付けることが想定される。また、ヨーク３３は、ボビン２１の外側側面を接触しないで覆う形状に磁性体により形成することが想定される。ヨーク３３の具体的な形状として、例えばコの字形状に形成することが想定されるが、これに限るものではなく、Ｕ字形状等のその他の形状であってもよい。ヨーク３３を磁性体によりコの字形状に形成した場合、磁石３１はヨーク３３の一部を構成するヨーク部材３３ａの内側面に取り付けられる。また、ヨーク部材３３ａの外側面を蓋１１の内側面に貼り付けることにより、ヨーク３３を含む磁気回路部３０全体を蓋１１に固定する。
【００２３】
また、プレート３２とヨーク３３の端部とで磁気ギャップを形成するようにプレート３２およびヨーク３３は配されているが、これについては図２において説明することとする。
【００２４】
図２は、スピーカ装置１００の正面図である。蓋１１により容器１２に蓋をして、磁気回路部３０をボイスコイル２０に挿入すると、ボイスコイル２０および磁気回路部３０の位置関係は、図２に示すようになる。
【００２５】
磁気回路部３０は、図１で説明したように磁石３１と、プレート３２と、ヨーク３３とを備えている。磁石３１は、上下方向にＮ極とＳ極とが位置するようにされており、コの字形状のヨーク３３におけるヨーク部材３３ａの内側面に取り付けられている。そして、磁石３１は、ヨーク３３におけるヨーク部材３３ｂおよび３３ｃと接触しないように配されている。
【００２６】
また、プレート３２は、図２においては直方体形状をしており、磁石３１の下端部に取り付けられている。この際、プレート３２は、例えばヨーク部材３３ｂの端部およびヨーク部材３３ｃの端部と高さが同じになるように配する。プレート３２と、ヨーク部材３３ｂの端部およびヨーク部材３３ｃの端部との間にある隙間がそれぞれ磁気ギャップ３４ｂおよび３４ｃとなる。
【００２７】
以上のように磁気回路部３０を構成すると、ヨーク３３はＮ極（またはＳ極）に磁化され、プレート３２はＳ極（またはＮ極）に磁化される。これにより、磁気ギャップ３４ｂおよび３４ｃには磁場が形成される。
【００２８】
ボイスコイル２０におけるボビン２１は、ボイスコイル２０におけるコイル部２３ｂおよび２３ｃがプレート３２、ヨーク部材３３ｂおよび３３ｃと接触しないような大きさ、形状に形成されている。そして、ボイスコイル２０におけるコイル部２３ｂおよび２３ｃは、磁気ギャップ３４ｂおよび３４ｃの概ね中央部に位置するようにすることが好ましい。これにより、ボイスコイル２０におけるコイル部２３ｂおよび２３ｃは、それぞれ磁気ギャップ３４ｂおよび３４ｃにおいて形成された磁場中に位置することになる。
【００２９】
導電性部材２２ｂおよび２２ｃに、例えば音声信号電流が供給されるとコイル部２３ｂおよび２３ｃに音声信号電流が流れるため、磁気ギャップ３４ｂおよび３４ｃにおいて形成された磁場と協働してボイスコイル２０は、矢印Ａ方向に振動することになる。この振動は、容器１２の底面１３に取り付けられたパネル状のパネル部材３００に伝達される。振動を伝達されたパネル部材３００は振動板として働くことになり、その結果音声が出力されることになる。
【実施例２】
【００３０】
図３は、本考案における別の実施の形態のスピーカ装置２００の一例を示す図である。なお、スピーカ装置２００においてスピーカ装置１００と同様の機能を有するものについては、同様の名称を用いることとする。また、スピーカ装置２００においてスピーカ装置１００と同様の名称を用いたものについては、スピーカ装置１００で説明済みであるため、以下においては、スピーカ装置１００とスピーカ装置２００との相違点を中心に説明することとする。
【００３１】
図３（ａ）は、本考案における別の実施の形態のスピーカ装置２００の正面図である。スピーカ装置２００は、筐体２１０と、ボイスコイル２２０と、磁気回路部２３０とを備えており、スピーカ装置１００とほぼ同様の構成をしている。スピーカ装置２００とスピーカ装置１００との相違点は、磁気回路部におけるヨークの形状である。
【００３２】
すなわち、スピーカ装置２００におけるヨーク２３３は、図３（ａ）に示すように、コの字形状をしたヨーク本体部２３３ａの端部に突起部２３３ｂおよび２３３ｃを設けた構成になっている。突起部２３３ｂおよび２３３ｃは、プレート２３２に向かう方向に伸びている。ヨーク本体部２３３ａの端部に突起部２３３ｂおよび２３３ｃを設けると、磁気ギャップ２３４ｂおよび２３４ｃに形成される磁場における磁力線の分布が一様になる。
【００３３】
また、突起部２３３ｂおよび２３３ｃの端部において両角をカットして、図３（ａ）に示すような斜面形状部２３３ｄ、２３３ｅ、２３３ｆ、２３３ｇを設けてもよい。突起部２３３ｂおよび２３３ｃの端部に斜面形状部２３３ｄ、２３３ｅ、２３３ｆ、２３３ｇを設けた場合、プレート２３２においても同様にプレート２３２の端部の両角をカットして、図３（ａ）に示すような斜面形状部２３２ｄ、２３２ｅ、２３２ｆ、２３２ｇを設けることが想定される。
【００３４】
なお、スピーカ装置２００の場合、突起部２３３ｂおよび２３３ｃの端部とプレート２３２の端部との間の隙間がそれぞれ磁気ギャップ２３４ｂおよび２３４ｃとなる。そして、この磁気ギャップ２３４ｂおよび２３４ｃにおいて磁場が形成される。斜面形状部２３２ｄ、２３２ｅ、２３２ｆ、２３２ｇ、２３３ｄ、２３３ｅ、２３３ｆ、２３３ｇを設けると以下に述べるように、磁気ギャップ２３４ｂおよび２３４ｃに形成される磁場における磁力線の分布がより一様になる。
【００３５】
図３（ｂ）は、図３（ａ）における楕円領域Ｂの拡大図である。ヨークおよびプレートをスピーカ装置２００のようにすると、図３（ｂ）に示すように磁気ギャップ２３４ｂに形成される磁場における磁力線の分布が一様になる。これにより、ボイスコイル２２０に音声信号電流が供給された場合、ボイスコイル２２０は音声信号電流に対応した振動を高い精度で実現することができるようになる。なお、図３（ｂ）におけるコイル部２２３ｂおよび２２３ｃの縦方向の長さをさらに短くして、その短くしたコイル部２２３ｂおよび２２３ｃを図３（ｂ）における磁力線の分布が一様な部分（図３（ｂ）の斜面形状部２２３ｄと２２３ｅとの間から伸びる磁力線が占める領域）に位置させる構成であってもよい。このようにすると、コイル部２２３ｂおよび２２３ｃが位置する領域の磁場はより一様になるため、ボイスコイル２２０は音声信号電流に対応した振動を高い精度で実現することができるようになる。この考えは、図２におけるコイル部２３ｂおよび２３ｃにも適用できる。
【００３６】
図３（ｃ）は、スピーカ装置１００における図３（ｂ）に対応する部分の拡大図である。スピーカ装置１００には突起部２３３ｂおよび２３３ｃに対応するものがない。この場合、磁気ギャップ３４ｂに形成される磁場における磁力線の分布は、図３（ｃ）に示すように一様なものとはならない。この場合、ボイスコイル２０に音声信号電流が供給された場合、ボイスコイル２０は音声信号電流に対応した振動をボイスコイル２２０の場合程実現することは難しいと推測される。
【００３７】
以上のように、スピーカ装置２００は、スピーカ装置１００よりも音声信号を音声に変換することが高い精度できる。
【００３８】
図４は、本考案の実施の形態におけるスピーカ装置１００または２００をパネル形状のパネル部材３００に取り付けた図を示すものである。パネル部材３００に取り付けるスピーカ装置１００または２００は複数でもよい。
【００３９】
図４（ａ）は、２行４列に規則正しくスピーカ装置１００または２００を並べてパネル部材３００に取り付けた図である。図４（ｂ）は、隣り合うスピーカ装置１００または２００を縦方向にずらしてパネル部材３００に取り付けた図である。以上の図４（ａ）および図４（ｂ）におけるスピーカ装置１００または２００のパネル部材３００への取り付け方は一例であって、どのように取り付けてもよい。
【００４０】
このように、本考案の実施の形態のスピーカ装置１００および２００によれば、看板やホワイトボード等のパネル部材を振動板として振動させることができるため、様々な部材から音声を出力させることができる。さらに、磁気回路部の構成をスピーカ装置２００のように構成すれば、より高い精度で音声信号を音声に変換することができる。
【００４１】
なお、本考案の実施の形態は本考案を具現化するための一例を示したものであり、これに限定されるものではなく本考案の要旨を逸脱しない範囲において種々の変形を施すことができる。
【産業上の利用可能性】
【００４２】
本考案の活用例として、例えば看板やホワイトボード等のパネル状のパネル部材から音声を出力させる際に本考案を適用することができる。
【符号の説明】
【００４３】
１０、２１０ 筐体
１１ 蓋
１２ 容器
２０、２２０ ボイスコイル
２１ ボビン
２２ 導電性部材
２３ｂ、２３ｃ、２２３ｂ、２２３ｃ コイル部
３０、２３０ 磁気回路部
３１ 磁石
３２、２３２ プレート
３３、２３３ ヨーク
３３ａ、３３ｂ、３３ｃ ヨーク部材
３４ｂ、３４ｃ、２３４ｂ、２３４ｃ 磁気ギャップ
１００、２００ スピーカ装置
２３２ｄ、２３２ｅ、２３２ｆ、２３２ｇ、２３３ｄ、２３３ｅ、２３３ｆ、２３３ｇ 斜面形状部
２３３ａ ヨーク本体部
２３３ｂ、２３３ｃ 突起部
３００ パネル部材
【図１】
0003163717.tif 000003
【図２】
0003163717.tif 000004
【図３】
0003163717.tif 000005
【図４】
0003163717.tif 000006